(57)【要約】      （修正有）【課題】容器を倒立させたままで、内容物の定量的な取り出しを段階的に行うことができ、しかも、操作性に優れて使い勝手の良い新規の取出し容器を提供する。【解決手段】容器1と、容器1からの内容物を取り出す取出し装置2とを備え、取出し装置2は、口筒部1aに対して取り外し可能に螺合し、ベース部3は、計量部材4が配置される凹空間S2を形作る上流側と下流側とにそれぞれ前後方向にずらして配置された取入口A1と取出し口A2を有し、計量部材4は、その内側に上流側から下流側に貫かれる計量室S3を有し、計量室S3の取入口A3がベース部3の取入口A1に整列するようにばね部材5を介して付勢され、取出し口A4がベース部3の取出し口A2に整列する部材で、計量室S3は、仕切壁4dで複数の小分け室S3(1),S3(2)に区画される。【選択図】図２
2014008987.tif 000002
【特許請求の範囲】
【請求項１】
口筒部を有してその内側に内容物の充填空間に通じる通路が形成された容器本体と、容器本体からの内容物を取り出す取出し装置とを備え、
当該取出し装置は、口筒部に対して取り外し可能に螺合するとともに、その内側に前方を開放した凹空間が形成されたベース部と、ベース部の凹空間にスライド可能に配置される計量部材と、計量部材を付勢するばね部材とを有し、
ベース部は、計量部材が配置される凹空間を形作る上流側と下流側とにそれぞれ前後方向にずらして配置された取入口と取出し口を有し、
計量部材は、その内側に上流側から下流側に貫かれる計量室を有し、当該計量室の取入口がベース部の取入口に整列するようにばね部材を介して付勢されるとともに当該ばね部材に抗した押し込みで計量室の取出し口がベース部の取出し口に整列する部材であって、
計量室は、その内側に上流側から下流側に延在する仕切壁を有し、当該仕切壁で複数の小分け室に区画されたものであることを特徴とする、取出し容器。
【請求項２】
請求項１において、計量部材の側壁に、突起を有する弾性舌片を設け、この突起をベース部の側壁に形成した長孔に通してスライド可能に係合させたことを特徴とする、取出し容器。
【請求項３】
請求項１又は２において、ベース部の側壁に、長孔と平行にスリットを延在させ、このスリットと長孔との間に、変形及び復元が可能な弾性変形部を構成するとともに、当該弾性変形部に、前記弾性舌片の突起を係止する突起を設けたことを特徴とする、取出し容器。
【発明の詳細な説明】
【技術分野】
【０００１】
本発明は、容器本体を倒立させた状態で、内容物を取り出すことができる取出し容器に関するものである。
【背景技術】
【０００２】
従来の取出し容器には、蓋体で覆われた本体の内側に計量凹部を設け、容器本体を傾けつつ倒立させた後に再び正立（容器本体の口筒部を上向きに起立）させることで、錠剤等の内容物を計量凹部で保持し、蓋体を本体に対してスライドさせることで、内容物を定量的に取り出せるものがある（例えば、特許文献１参照）。
【先行技術文献】
【特許文献】
【０００３】
【特許文献１】特開２００２−１６６９５９号公報
【発明の概要】
【発明が解決しようとする課題】
【０００４】
しかしながら、従来の取出し容器では、容器を倒立させた後に再び正立させる必要があるため、取出し操作が煩雑となり、改善の余地がある。また、従来の取出し容器では、内容物を定量的に取り出せるものの、その定量的な取り出しを、数回に分けて行うなど、段階的に行うことができなかった。
【０００５】
本発明の目的とするところは、容器を倒立させたままで、内容物の定量的な取り出しを段階的に行うことができ、しかも、操作性に優れて使い勝手の良い新規の取出し容器を提供することにある。
【課題を解決するための手段】
【０００６】
本発明は、口筒部を有してその内側に内容物の充填空間に通じる通路が形成された容器本体と、容器本体からの内容物を取り出す取出し装置とを備え、
当該取出し装置は、口筒部に対して取り外し可能に螺合するとともに、その内側に前方を開放した凹空間が形成されたベース部と、ベース部に形成された凹空間にスライド可能に配置される計量部材と、計量部材を付勢するばね部材とを有し、
ベース部は、計量部材が配置される凹空間を形作る上流側と下流側とにそれぞれ前後方向にずらして配置された取入口と取出し口を有し、
計量部材は、その内側に上流側から下流側に貫かれる計量室を有し、当該計量室の取入口がベース部の取入口に整列するようにばね部材を介して付勢されるとともに当該ばね部材に抗した押し込みで計量室の取出し口がベース部の取出し口に整列する部材であって、
計量室は、その内側に上流側から下流側に延在する仕切壁を有し、当該仕切壁で複数の小分け室に区画されたものであることを特徴とするものである。
【０００７】
本発明では、計量部材の側壁に、突起を有する弾性舌片を設け、この突起をベース部の側壁に形成した長孔に通してスライド可能に係合させることが好ましい。
【０００８】
また、本発明では、ベース部の側壁に、長孔と平行にスリットを延在させ、このスリットと長孔との間に、変形及び復元が可能な弾性変形部を構成するとともに、当該弾性変形部に、前記弾性舌片の突起を係止する突起を設けることができる。
【発明の効果】
【０００９】
本発明では、取出し装置のベース部に、当該ベース部の前方が開放された凹空間を形成するとともに、この凹空間を形作る上流側と下流側とにそれぞれ取入口と取出し口とを前後方向にずらして配置し、更に、当該凹空間に、上流側から下流側に貫く計量室を有する計量部材をスライド可能に配置するとともに、この計量室の取入口がベース部の取入口に整列するようにばね部材を介して付勢するため、容器本体を倒立させるだけの簡単な操作で、容器本体からの内容物を計量室に充填することができる。
【００１０】
加えて、本発明では、ばね部材に抗した押し込みで計量室の取出し口がベース部の取出し口に整列するように構成するとともに、計量室の内側に、上流側から下流側に延在する仕切壁を設け、当該仕切壁で計量室を複数の小分け室に区画したことで、計量室内の小分け室を計量部材の押し込み量に応じて選択することができる。これにより、計量部材の押し込み量を調整することで、複数の小分け室から段階的に、又は、計量部材の押し込みで一度に、内容物を定量的に取り出すことができる。
【００１１】
従って、本発明によれば、容器を倒立させたままで、内容物の定量的な取り出しを段階的に行うことができ、しかも、操作性に優れて使い勝手の良い新規の取出し容器を提供することができる。なお、本発明によれば、仕切壁は、少なくとも１つ存在すればよい。仕切壁を複数設ければ、一回の押し込みで、より段階的に内容物を取り出すことができる。
【図面の簡単な説明】
【００１２】
【図１】本発明の一形態である、粉末洗剤用取出し容器を示す側面図及び、その一部拡大図である。
【図２】同形態の要部縦断面図である。
【図３】図１のＸ−Ｘ断面図である。
【図４】同形態を倒立させて、計量部材とともにベース部の筐体壁を把持した状態を示す斜視図である。
【図５】(a)は、同形態において、１つの小分け室で定量した粉末洗剤を取り出す状態を示す要部側面図であり、(b)は、(a)の断面図である。
【図６】(a)は、同形態において、２つの小分け室で定量した粉末洗剤を取り出す状態を示す要部側面図であり、(b)は、(a)の断面図である。
【図７】同形態に係る取出し装置を構成する、計量部材、ばね部材及びベース部をその平面図とともに示す分解図である。
【発明を実施するための形態】
【００１３】
以下、図面を参照して、本発明の一形態である、粉末洗剤用取出し容器を詳細に説明する。
【００１４】
符号１は、口筒部１ａ（図２参照）、肩部１ｂ、胴部１ｃ及び底部１ｄを有し、合成樹脂製のブロー成形品としてなるボトル形の容器本体である。口筒部１ａの内側には、図２に示すように、内容物たる粉末洗剤の充填空間Ｓ1を外界に通じさせる通路Ｒが形成されている。
【００１５】
符号２は、容器本体１からの粉末洗剤を取り出す取出し装置である。
【００１６】
取出し装置２は、口筒部１ａに固定されるベース部３を有する。ベース部３は、装着部３ａを有し、この装着部３ａの内側には、口筒部１ａに形成されたねじ部１ｓに取り外し可能に螺合するねじ部３ｓが形成されている。また装着部３ａの内側には、口筒部１ａの上方に配置される隔壁３ｂが一体に形成されている。隔壁３ｂには、通路Ｒからの粉末洗剤を取り入れるための取入口Ａ1が形成されている。加えて、装着部３ａの内側には、口筒部１ａの内周面を密封する環状の周壁３ｃが設けられている。
【００１７】
装着部３ａからは、筐体壁３ｄが一体に起立する。この筐体壁３ｄは、図３に示すように、取入口Ａ1が配置された側を前側とすると、この取入口Ａ1よりも後側にあって、取入口Ａ1を左右横方向（軸線Ｏ及び前後方向に直交する方向）に挟み込むように配置された２つの側壁３ｄ1と、これら側壁３ｄ1の相互間の後方に配置された後方壁３ｄ2とからなる。
【００１８】
側壁３ｄ1及び後方壁３ｄ2は、図４に示すように、使用者が人差し指等の４指と親指とで挟み込むピンチ部として機能する。このため、本形態では、図３に示すように、後方壁３ｄ2を湾曲面で構成することで、４指と親指との間でのフィット感を向上させている。
【００１９】
また、筐体壁３ｄの先端には、図２に示すように、蓋体としての、取出し壁３ｄ3が設けられている。これにより、隔壁３ｂと取出し壁３ｄ3との間には、前方が開口する凹空間Ｓ2が形成される。
【００２０】
加えて、取出し壁３ｄ3には、通路Ｒからの粉末洗剤を取り出すための矩形の取出し口Ａ2（図７参照）が形成されている。取出し口Ａ2は、図２に示すように、取入口Ａ1よりも後方に配置されることで、取入口Ａ1と取出し口Ａ2とが、前後方向に対して同一軸線上に配置されないように構成している。
【００２１】
符号４は、容器本体１からの粉末洗剤を計量するための計量部材である。計量部材４は、ベース部３の前方から凹空間Ｓ2内に収納されることで、ベース部３の隔壁３ｂと取出し壁３ｄ3とによってスライド可能に保持されている。
【００２２】
計量部材４は、計量部４ａを有し、その内側に計量室Ｓ3が形成されている。計量室Ｓ3は、上流側の平坦面（以下、「上流側平坦面」）４ｂと、下流側の平坦面（以下、「下流側平坦面」）４ｃとの間に矩形の貫通孔を形成し、その内側に上流側から下流側に延在するとともに、当該貫通孔を前後方向に仕切る仕切壁４ｄを設けてなる。これにより、計量室Ｓ3は、仕切壁４ｄによって２つの小分け室Ｓ3(1)，Ｓ3(2)に区画される。
【００２３】
小分け室Ｓ3(1)，Ｓ3(2)はそれぞれ、ベース部３の取入口Ａ1と隣接する位置に配置された開口部が、粉末洗剤の取入口Ａ3として機能し、この取入口Ａ3から容器本体１の粉末洗剤を充填することができる。なお、ベース部３の取入口Ａ1からの粉末洗剤は、ベース部３の隔壁３ｂに、取入口Ａ1を取り囲むように環状の傾斜面を形成することにより、通路Ｒからの粉末洗剤を取入口Ａ1に導くように構成することもできる。
【００２４】
加えて、計量部材４には、図３に示すように、ベース部３（筐体壁３ｄ）とともに握って凹空間Ｓ2内に押し込むための膨出部４ｇが設けられている。本形態では、膨出部４ｇは、同図に示すように、計量部４ａよりも横幅を狭くすることで、指先の引っ掛けが更に容易になるように構成されている。また、膨出部４ｇには、図４に示すように、容器本体１とともに倒立させた状態で把持したとき、人差し指の内側部分に引っ掛かるフランジ部４ｆが一体に設けられている。
【００２５】
同様に、ベース部３には、図４に示すように、容器本体１とともに倒立させた状態で把持したとき、人差し指と親指との間の指股部分（いわゆる、水掻き部分）に引っ掛かるフランジ部３ｆが一体に設けられている。フランジ部３ｆは、図３に示すように、横方向に広がりつつ、後方に向かって延在する。
【００２６】
符号５は、ベース部３と計量部材４との間に介在させたばね部材である。ばね部材５は、計量部４ａの後方壁４ｅに設けたマウント部４ｍと、筐体壁３ｄの後方壁３ｄ2に設けたマウント部３ｍとで保持されることで、図２に示すように、計量部４ａの取入口Ａ3（小分け室Ｓ3(1)，Ｓ3(2)）が、ベース部３の取入口Ａ1と同軸線上に位置するように、計量部材４を付勢する。
【００２７】
言い換えれば、本形態では、ベース部３は、図２に示すように、ばね部材５とともに計量部材４を組み付けたとき、計量部材４の取入口Ａ3がベース部３の取入口Ａ1と一致するように、当該取入口Ａ1を設けている。また、ベース部３は、計量部材４の取入口Ａ3が取入口Ａ1と整列するときには、計量部材４の取出し口Ａ4が封止されるように取出し壁３ｄ3を設けている。これにより、取入口Ａ1が取入口Ａ3と整列することで、粉末洗剤が充填されるときも、小分け室Ｓ3(1)及びＳ3(2)に充填された粉末洗剤は、取出し口Ａ4を通して取り出されることがない。
【００２８】
加えて、本形態では、ベース部３は、計量部材４をばね部材５の付勢力に抗して押し込んだとき、図５(b)又は図６(b)に示すように、計量部材４の取出し口Ａ4が取出し口Ａ2と一致するように、当該取出し口Ａ2を設けている。これにより、計量部材４を押し込んで取出し口Ａ4が取出し口Ａ2と整列すれば、取出し口Ａ2を通して粉末洗剤を取り出すことができる。
【００２９】
容器本体１から粉末洗剤を取り出すときには、図１に示す正立状態から計量部材４を押し込まないように取出し装置２（筐体壁３ｄ）を逆手で掴んで、容器本体１を垂直に倒立させるように取出し装置２を反転させると、図４に示す状態に把持することができる。これにより、ベース部３の取入口Ａ1から取入口Ａ3を通して小分け室Ｓ3(1)及びＳ3(2)にそれぞれ、粉末洗剤を取り入れることができる（図２を逆さにした状態を参照）。
【００３０】
粉末洗剤が小分け室Ｓ3(1)及びＳ3(2)に充填された後は、図５(a)に示すように、計量部材４をばね部材５の付勢力に抗してベース部３内に押し込むと、図５(b)に示すように、計量部材４の小分け室Ｓ3(1)がベース部３の取出し口Ａ2と一致することで、取出し口Ａ2を通して、小分け室Ｓ3(1)内に充填された量だけ、内容物を定量的に取り出すことができる。
【００３１】
次いで、図６(a)に示すように、計量部材４を更に押し込むと、図６(b)に示すように、計量部材４の小分け室Ｓ3(2)が小分け室Ｓ3(1)とともにベース部３の取出し口Ａ2と一致することで、取出し口Ａ2を通して、小分け室Ｓ3(2)内に充填された量だけ、又は、小分け室Ｓ3(1)及び小分け室Ｓ3(2)に充填された量を一度に、粉末洗剤を取り出すことができる。
【００３２】
これにより、容器本体１からの粉末洗剤は、容器本体１を倒立させることで、小分け室Ｓ3(1)とともに小分け室Ｓ3(2)に充填された後には、計量部材４の押し込み量に応じて、小分け室Ｓ3(1)の粉末洗剤のみを、若しくは、小分け室Ｓ3(1)の粉末洗剤に続いて小分け室Ｓ3(2)の粉末洗剤を順次、段階的に取り出し、又は、小分け室Ｓ3(1)及び小分け室Ｓ3(2)に充填された量を一度に、取り出すことができる。
【００３３】
このように、本形態では、図２に示すように、取出し装置２のベース部３に、前方が開放された凹空間Ｓ2を形成するとともに、この凹空間Ｓ2を形作る上流側と下流側とにそれぞれ、取入口Ａ1と取出し口Ａ2とを前後方向にずらして配置し、更に、凹空間Ｓ2に、上流側から下流側に貫く計量室Ｓ3を有する計量部材４をスライド可能に配置するとともに、この計量室Ｓ3の取入口Ａ3がベース部３の取入口Ａ1に整列するようにばね部材５を介して付勢するため、容器本体１を倒立させるだけの簡単な操作で、計量室Ｓ3に粉末洗剤を充填することができる。
【００３４】
加えて、ばね部材５に抗した押し込みで計量室Ｓ3の取出し口Ａ4がベース部３の取出し口Ａ2に整列するように構成するとともに、計量室Ｓ3の内側に、上流側から下流側に延在する仕切壁４ｄを設け、当該仕切壁４ｄで計量室Ｓ3を複数の小分け室Ｓ3(1)及びＳ3(2)に区画したことで、小分け室Ｓ3(1)及びＳ3(2)を計量部材４の押し込み量に応じて選択することができる。これにより、容器本体１を再び正立させることなく、計量部材４の押し込み量を調整することで、複数の小分け室Ｓ3(1)及びＳ3(2)から段階的に、又は、計量部材４の押し込みで一度に、粉末洗剤を定量的に取り出すことができる。
【００３５】
従って、本発明によれば、容器を倒立させたままで、粉末洗剤の定量的な取り出しを段階的に行うことができ、しかも、操作性に優れて使い勝手の良い新規の取出し容器を提供することができる。なお、本発明によれば、仕切壁４ｄは、少なくとも１つ存在すればよい。仕切壁４ｄを複数設ければ、一回の押し込みで、より段階的に粉末洗剤を取り出すことができる。
【００３６】
ところで、計量部材４は更に、図７に示すように、計量部４ａの後方壁４ｅから後方に向かって延在する２つの側壁４ｈを有する。側壁４ｈは、ベース部３の筐体壁３ｄの側壁３ｄ1の内側に摺動可能に保持されるとともに、弾性舌片４ｔが一体に設けられている。弾性舌片４ｔは、側壁４ｈを貫通するスリット４ｓで形作られ、その先端部には、外向きの突起４ｐが設けられている。
【００３７】
これに対し、ベース部３の筐体壁３ｄの側壁３ｄ1にそれぞれ、前後方向に延在する長孔３ｎが形成されている。この長孔３ｎは、図１の拡大図に示すように、計量部材４の突起４ｐを内側に通して係合させる。これにより、長孔３ｎは、計量部材４の前後方向の移動を案内するとともに、その前方端縁３ｎ1と後方端縁３ｎ2がそれぞれ、突起４ｐと接触することで、計量部材４の前後方向の移動を規制するストッパとして機能する。
【００３８】
加えて、本形態では、図７に示すように、ベース部３の側壁３ｄ1には、長孔３ｎよりも幅の狭い２つのスリット３Ｌが形成されている。スリット３Ｌはそれぞれ、長孔３ｎを流通方向（軸線Ｏ方向）に挟み込むように配置されるとともに前後方向に沿って延在する。スリット３Ｌは、長孔３ｎと平行に前後方向に沿って延在することで、長孔３ｎとの間に、変形及び復元が可能な弾性変形部３ｒを構成する。
【００３９】
また、２つの弾性変形部３ｒにはそれぞれ、その延在方向に間隔を置いて２つの突起３ｐ1,３ｐ2が設けられている。突起３ｐ1,３ｐ2にはそれぞれ、計量部材４の突起４ｐが順次引っ掛かることで、計量部材４を突起３ｐ1，３ｐ2ごとに位置決めする。本形態では、計量部材４は、図１に示すように、その突起４ｐが突起３ｐ1に係止される状態にあると、図２に示すように、ばね部材５の付勢力によって計量部４ａの取入口Ａ3（小分け室Ｓ3(1)及びＳ3(2)）が取入口Ａ1と一致する位置に位置決めされる。突起３ｐ1及び４ｐの係止は、使用者が計量部材４を一定以上の力で押し込むことで、突起４ｐが弾性変形部３ｒに設けた突起３ｐ1を押し開いて乗り越えるまで解除することができない。
【００４０】
これに対し、計量部材４を押し込んで突起４ｐが突起３ｐ1を押し開くと、計量部材４は、その突起４ｐが、図５(a)に示すように突起３ｐ2に係止される。突起４ｐが突起３ｐ2に係止されることで、計量部材４の押し込みは、図５(b)に示すように、小分け室Ｓ3(1)が取出し口Ａ2と一致する位置までの間に一時的に制限される。なお、突起３ｐ2及び４ｐの係止も、突起３ｐ1との場合と同様、使用者が計量部材４を一定以上の力で押し込むことで、突起４ｐが弾性変形部３ｒに設けた突起３ｐ2を押し開いて乗り越えるまで解除することができない。
【００４１】
そして、更に計量部材４を押し込んで、突起４ｐが突起３ｐ2を押し開くと、その押し込みは、図６(a)に示すように突起４ｐが長孔３ｎの後方端縁３ｎ2に接触するまで可能となる。これにより、図６(b)に示すように小分け室Ｓ3(1)に加えて小分け室Ｓ3(2)が取出し口Ａ2と一致する位置まで押し込むことができる。
【００４２】
このように、計量部材４を位置決めする手段を設ければ、計量部材４の押し込みごとに、小分け室Ｓ3(1)，Ｓ3(2)をベース部３の取入口Ａ1に確実に位置合せできるとともに、計量部材４の小分け室Ｓ3(1)をベース部３の取出し口Ａ2に確実に位置合せできる。また、計量部材４が不必要にスライドすることがないため、持ち運び易くて使い勝手が良い。なお、本発明に従えば、突起４ｐがばね部材５の付勢力によって弾性変形部３ｒに設けた突起３ｐ1及び３ｐ2をそれぞれ押し開くことができる構成とすることが好ましい。具体例としては、ばね部材５の付勢力や、弾性変形部３ｒ、突起３ｐ1及び３ｐ2の形状や寸法などを適宜設定する等が挙げられる。この場合、計量部材４は、その押し込みが解除されると、ばね部材５の付勢力によって初期の位置（図１に示す位置）に自動的に復帰する。かかる構成によれば、定量的な取り出しをスムースな操作で繰り返し行うことができる。
【００４３】
上述したところは、本発明の一形態を示したにすぎず、特許請求の範囲において、種々の変更を加えることができる。例えば、ベース部３の取出し壁３ｄ3は、筐体壁３ｄに対して着脱可能にすることができる。このため、取出し壁３ｄ3は、ヒンジを介して筐体壁３ｄに対して開閉可能に連結させることができる。また、計量部４ａの形状は、計量部材４がベース部３の凹空間Ｓ2でスライドできるものであれば、矩形に限定されることなく、様々な断面形状のものを採用することができる。このことは、ベース部３及び計量部材４の取入口及び取出し口についても同様である。また、容器本体１も、ブロー成形品に限定されることなく、様々な方法で製造することができる。更に、容器本体１は、その形状に限定されることなく、その材質も、合成樹脂製容器に限定されることなく、ガラス等の様々な材質で構成することができる。
【産業上の利用可能性】
【００４４】
本発明は、粉末洗剤等の粉状物は勿論、錠剤等の粒状物等の内容物にも適用することができる。
【符号の説明】
【００４５】
１      容器本体
１ａ    口筒部
１ｓ    ねじ部
２      取出し装置
３      ベース部
３ａ    装着部
３ｂ    隔壁
３ｄ    筐体壁
３ｄ1   側壁
３ｄ2   後方壁
３ｄ3   取出し壁
３ｆ    フランジ部
３Ｌ    スリット
３ｎ    長孔
３ｎ1   前方端縁
３ｎ2   後方端縁
３ｐ1   突起（計量部材位置決め用）
３ｐ2   突起（計量部材位置決め用）
３ｒ    弾性変形部
３ｓ    ねじ部
４      計量部材
４ａ    計量部
４ｂ    上流側平坦面
４ｃ    下流側平坦面
４ｄ    仕切壁
４ｅ    後方壁
４ｆ    フランジ部
４ｇ    膨出部
４ｈ    側壁
４ｐ    突起
４ｓ    スリット
４ｔ    弾性舌片
Ａ1     ベース部取入口
Ａ2     ベース部取出し口
Ａ3     計量室取入口
Ａ4     計量室取出し口
Ｓ1     内容物充填空間
Ｓ2     凹空間（計量部材収納空間）
Ｓ3     計量室
Ｓ3(1)  小分け室
Ｓ3(2)  小分け室
【図１】
2014008987.tif 000003
【図２】
2014008987.tif 000004
【図３】
2014008987.tif 000005
【図４】
2014008987.tif 000006
【図５】
2014008987.tif 000007
【図６】
2014008987.tif 000008
【図７】
2014008987.tif 000009